(57)【要約】【課題】視標表示位置及び被検者年齢を考慮して、正確な視野測定を行う。【解決手段】同じ輝度の視標であっても、視野周辺部より視野中央部の方が認識され易く、年齢の高い被検者より年齢の低い被検者の方が認識し易くなる。図示の視野計１においては、視野ドーム２４の様々な位置に視標を表示し、被検者が操作スイッチ３を押して応答するまでは、視標の輝度を段階的に上げていくが、その視標の表示輝度の値は、視標表示位置及び被検者の年齢に応じて設定されている。そのため測定精度が正確なものとなる。【選択図】図１
2007195787.tif 000002
【特許請求の範囲】
【請求項１】
視野中の様々な位置に視標を順次表示することにより視野を測定する視野計において、
表示される視標の位置を規定する表示位置規定手段と、表示される視標の輝度を規定する表示輝度規定手段とを有し、輝度を段階的に変化させながら視標の呈示を行う視標呈示ユニットと、
被検者が視標を視認できたかどうかの入力を行う操作手段と、
を備え、
前記表示輝度規定手段は、各視標表示位置毎の基準輝度を記憶する基準輝度記憶部と、各視標表示位置毎の偏差を記憶する偏差記憶部と、前記基準輝度記憶部からの基準輝度データ及び前記偏差記憶部からの偏差データに基づき視標表示輝度を段階的に変化させる輝度制御部と、を有する、
ことを特徴とする視野計。
【請求項２】
前記偏差記憶部は、１回目の表示輝度を算出するための第１偏差、及び２回目の表示輝度を算出するための第２偏差を少なくとも記憶している、
ことを特徴とする請求項１に記載の視野計。
【請求項３】
前記基準輝度記憶部は、各視標表示位置毎、及び各被検者年齢毎の基準輝度を記憶し、
前記偏差記憶部は、各視標表示位置毎、及び各被検者年齢毎の偏差を記憶している、
ことを特徴とする請求項１又は２に記載の視野計。
【請求項４】
少なくとも被検者の年齢を入力できる被検者データ入力手段と、
該被検者データ入力手段からの年齢データ、及び視標が表示される位置のデータに基づき、前記基準輝度記憶部及び前記偏差記憶部から適切な基準輝度及び偏差を読み出して前記輝度制御部に送信するデータ読み出し部と、
を備えたことを特徴とする請求項３に記載の視野計。
【請求項５】
視標の呈示開始或いは視標の輝度変更に伴いカウントを開始するタイマー部、を備え、
前記輝度制御部は、前記タイマー部のカウントに基づき視標の輝度を変更する、
ことを特徴とする請求項１乃至４のいずれか１項に記載の視野計。
【請求項６】
前記操作手段からの信号と、前記表示輝度規定手段からの表示輝度データと、前記表示位置規定手段からの表示位置データとに基づき、被検者の視野を判定する視野判定手段、
を備えたことを特徴とする請求項１乃至５のいずれか１項に記載の視野計。
【発明の詳細な説明】
【技術分野】
【０００１】
本発明は、被検者の視野を測定する視野計に関する。
【背景技術】
【０００２】
緑内障や糖尿病網膜症といった眼の病気に掛かった場合は視野が狭くなったり欠けたりするということは知られている。そこで、そのような病気を発見するための装置として、様々な構造の視野計が提案されている（例えば、特許文献１参照）。
【０００３】
図９は、従来の視野計の構造の一例を示す模式図である。図中の符号３００は、視標Ｄを投影するための投影光学系を示し、符号３０１は、視標が投影される半球状の視野ドームを示す。また、符号３０３は、被検者により操作される応答スイッチを示す。
【０００４】
いま、被検者が視野ドーム３０１の内面の固視点を固視している状態で視野計を起動すると、投影光学系３００は視野ドーム３０１の様々な位置に視標Ｄを順次表示して行く。被検者は、視標Ｄを認識した場合に応答スイッチ３０３を操作し、視標Ｄを認識できなかった場合には応答スイッチ３０３を操作しないが、視標Ｄの表示位置に基づき、被検者の視野を測定することができる。
【０００５】
そして、視標が呈示されても被検者からの応答が無かった場合には、視標の表示位置はそのままで視標表示輝度を上げ、再度、被検者からの応答を待つようにした技術が提案されている（特許文献２参照）。例えば、３段階の視標表示輝度の視標を表示するようにした視野計の場合は、各測定ポイントにおける被検者の感度を次の４段階に分類できる。すなわち、
（１）  最も暗い視標を最初に呈示し、それに対して被検者から“見えた”との応答があった段階
（２）  （１）の応答は無く、少し明るい視標を呈示し、それに対して被検者から“見えた”との応答があった段階
（３）  （２）の応答は無く、さらに明るい視標を呈示し、それに対して被検者から“見えた”との応答があった段階
（４）  被検者がいずれの視標も視認できず、被検者から（１）（２）（３）の応答も無かった段階
【０００６】
ところで、上述の視標表示輝度は健常眼の値を基準にしていた。具体的には、ある特定の位置に種々の輝度の視標を順次表示して行き、健常眼を持つ被検者が視認できたかどうかの検査をし、多数の健常眼につき、視標の輝度と、該輝度の視標を認識できた人数との統計を取って図１０のような特性曲線（以下、本明細書においては“正常感度曲線”とする）を作成した。そして、この正常感度曲線を正規分布と見なして、ピーク値を取る輝度を正常値（基準輝度）とし、例えば、
・  第１の輝度を“正常値−５”ｄＢとし、
・  第２の輝度を“正常値−１０”ｄＢとし、
・  第３の輝度を０ｄＢ、
のように表示輝度を段階的に上げるようにしていた。
【特許文献１】特開２００２−２７２６８５号公報
【特許文献２】特許第２６５２２２７号公報
【発明の開示】
【発明が解決しようとする課題】
【０００７】
しかしながら、上述の正常感度曲線や偏差（上述の５ｄＢとか１０ｄＢとかの値）は視標表示位置や被検者年齢に応じて異なるものであるものでありながら、従来の検査ではその点は考慮されておらず、検査結果の正確性に欠けるという問題があった。
【０００８】
本発明は、より正確に視野角を検知できる視野計を提供することを目的とするものである。
【課題を解決するための手段】
【０００９】
請求項１に係る発明は、図１に例示するものであって、視野中の様々な位置に視標（Ｄ）を順次表示することにより視野を測定する視野計（１）において、
表示される視標（Ｄ）の位置を規定する表示位置規定手段（２１）と、表示される視標（Ｄ）の輝度を規定する表示輝度規定手段（２２）とを有し、輝度を段階的に変化させながら視標（Ｄ）の呈示を行う視標呈示ユニット（２）と、
被検者が視標（Ｄ）を視認できたかどうかの入力を行う操作手段（３）と、
を備え、
前記表示輝度規定手段（２２）は、各視標表示位置毎の基準輝度（例えば、図３の符号Ｂ参照）を記憶する基準輝度記憶部（２２０）と、各視標表示位置毎の偏差（例えば、図３の符号Ｃ１，Ｃ２，…参照）を記憶する偏差記憶部（２２１）と、前記基準輝度記憶部（２２０）からの基準輝度データ及び前記偏差記憶部（２２１）からの偏差データに基づき視標表示輝度（図３の符号Ａ１，Ａ２，…参照）を段階的に変化させる輝度制御部（２２２）と、を有することを特徴とする。
【００１０】
請求項２に係る発明は、請求項１に係る発明において、前記偏差記憶部（２２１）は、１回目の表示輝度（図３の符号Ａ１参照）を算出するための第１偏差（図３の符号Ｃ１参照）、及び２回目の表示輝度（図３の符号Ａ２参照）を算出するための第２偏差（同図の符号Ｃ２参照）を少なくとも記憶していることを特徴とする。
【００１１】
請求項３に係る発明は、請求項１又は２に係る発明において、前記基準輝度記憶部（２２０）は、各視標表示位置毎、及び各被検者年齢毎の基準輝度を記憶し、前記偏差記憶部（２２１）は、各視標表示位置毎、及び各被検者年齢毎の偏差を記憶していることを特徴とする。
【００１２】
請求項４に係る発明は、請求項３に係る発明において、少なくとも被検者の年齢を入力できる被検者データ入力手段（２２４）と、
該被検者データ入力手段（２２４）からの年齢データ、及び視標（Ｄ）が表示される位置のデータに基づき、前記基準輝度記憶部（２２０）及び前記偏差記憶部（２２１）から適切な基準輝度及び偏差を読み出して前記輝度制御部（２２２）に送信するデータ読み出し部（２２３）と、を備えたことを特徴とする。
【００１３】
請求項５に係る発明は、請求項１乃至４のいずれか１項に記載の発明において、視標（Ｄ）の呈示開始或いは視標（Ｄ）の輝度変更に伴いカウントを開始するタイマー部（２２５）、を備え、
前記輝度制御部（２２２）は、前記タイマー部（２２５）のカウントに基づき視標（Ｄ）の輝度を変更することを特徴とする。
【００１４】
請求項６に係る発明は、請求項１乃至５のいずれか１項に記載の発明において、前記操作手段（３）からの信号と、前記表示輝度規定手段（２２）からの表示輝度データと、前記表示位置規定手段（２１）からの表示位置データとに基づき、被検者の視野を判定する視野判定手段（４）、を備えたことを特徴とする。
【００１５】
なお、括弧内の番号などは、図面における対応する要素を示す便宜的なものであり、従って、本記述は図面上の記載に限定拘束されるものではない。
【発明の効果】
【００１６】
請求項１及び２に係る発明によれば、視標表示位置に応じた視標輝度で視野測定を行うことができるので、測定結果がより正確なものとなる。
【００１７】
請求項３乃至５に係る発明によれば、視標表示位置及び被検者年齢に応じた視標輝度で視野測定を行うことができるので、測定結果がより正確なものとなる。
【発明を実施するための最良の形態】
【００１８】
以下、図１乃至図６に沿って、本発明を実施するための最良の形態について説明する。ここで、図１は、本発明に係る視野計の構成の一例を示す模式図であり、図２(a)は、ある視標表示位置における正常感度分布曲線（詳細は後述する）の形状の一例を示す模式図であり、図２(b)は、他の視標表示位置における正常感度分布曲線の形状の一例を示す模式図である。また、図３は、ある視標表示位置における視標輝度の変化を説明するための模式図であり、図４は、ある視標表示位置における視標輝度の変化と正常感度分布曲線との関係を示す模式図である。さらに、図５は、視角と感度との関係を示す特性曲線の一例を示す図であり、図６は、該特性曲線に偏差を示した図である。
【００１９】
本発明に係る視野計は、視野中の様々な位置に視標を順次表示し、被検者が視標を視認できたかどうかで視野を測定するように構成されたものである。本発明に係る視野計は、例えば、図１に符号１で例示されるものであって、
・  輝度を段階的に変化させながら視標Ｄを呈示する視標呈示ユニット２と、
・  被検者が視標Ｄを視認できたかどうかの入力を行う操作手段３と、
を備えている。そして、前記視標呈示ユニット２は、表示される視標Ｄの位置を規定する表示位置規定手段２１と、表示される視標Ｄの輝度を規定する表示輝度規定手段２２と、を有している。
【００２０】
ところで、本発明においては、視標Ｄの表示輝度は健常眼の視野測定で得たデータに基づき決定すると良い。以下、その点について説明する。
【００２１】
視標Ｄの表示輝度を徐々に上げて行き、どの輝度の視標Ｄを認識できたかの検査を多数の被検者（健常眼を持つ被検者）に対して行うと、例えば図２(a)に示すような特性曲線（以下、“正常感度曲線”とする）を得ることができる。この正常感度曲線は、横軸に感度を取り、縦軸には被検者の人数（その感度で視標を視認できた被検者の人数）を取っている。本発明においては、この正常感度曲線を基本データとして使用し、該曲線における特定の値（以下、本明細書において“基準輝度”とする）を基準とし、その基準輝度に基づき視標表示輝度を規定している。なお、この正常感度曲線は、ピークを中心にして左右にある程度の幅の分布を有しているが、その分布は、被検者の個人差によって生じたものに過ぎず、“ピーク部分が正常でそれ以外は正常でない”ということではない。したがって、本発明における基準輝度としては、ピーク部分の輝度を使用しても、ピーク部分以外の特定の輝度を使用しても良い。
【００２２】
ところで、本発明に係る視野計においては、視標表示輝度を段階的に上げていく必要があるので、偏差という数値を規定し、下式が成立するようにすると良い。
【数１】
2007195787.tif 000003
【００２３】
視標表示輝度の上げ方は、次のようにすると良い。
・  １回目の表示輝度Ａ１で第１の表示位置に視標を呈示
・  視標呈示をオフ
・  １回目の表示輝度Ａ１で第２の表示位置に視標を呈示
・  視標呈示をオフ
・  １回目の表示輝度Ａ１で第３の表示位置に視標を呈示
…………
・  ２回目の表示輝度Ａ２で第１の表示位置に視標を呈示
・  視標呈示をオフ
・  ２回目の表示輝度Ａ２で第２の表示位置に視標を呈示
・  視標呈示をオフ
・  ２回目の表示輝度Ａ２で第３の表示位置に視標を呈示
…………。なお、例えば、第３の表示位置で、表示輝度Ａ１の視標が被検者により視認されている場合には、表示輝度Ａ２の視標の第３の表示位置への表示は省略することができる。また、視標呈示の時間や、視標呈示をオフする時間は自由に調整すると良い。さらに、上述のように、表示輝度一定のままで表示位置を変更するのではなく、図３に示すように、表示位置一定のままで表示輝度を変更するようにしても良い。なお、この図では、表示輝度は４段階に変えているが、もちろんこれに限られるものではなく、２段階でも、３段階でも、或いは５段階以上であっても良い。この図３に示す関係（基準輝度と偏差と表示輝度との関係）を正常分布曲線で示すと図４のようになる。図４中の符号Ｂは基準輝度を示し、符号Ｃ１は第１偏差を示し、符号Ａ１は１回目の表示輝度を示し、符号Ｃ２は第２偏差を示し、符号Ａ２は２回目の表示輝度を示す。
【００２４】
ところで、図５は、視角と感度との関係を示す特性曲線の一例を示す図であるが、視野中心部（つまり、視角が０の部分）は感度が高くて比較的低輝度の視標でも認識されるが、視野周辺部（例えば、視角が１０度や２０度の部分）ほど高輝度視標で無いと認識されにくくなる。
【００２５】
このような傾向は健常眼についても当てはまるので、上述した正常感度曲線は視標表示位置毎に異なった形状を呈することとなる。例えば、ある視標表示位置では図２(a)のような形状であっても、他の視標表示位置では図２(b)のような形状を示すかも知れない。したがって、上述の基準輝度の値も、視標表示位置毎に異なった値にすべきであり、そのためには、上述した正常感度曲線を視標表示位置毎に求め、基準輝度を視標表示位置毎に決定しておく必要がある。さらには、上述した表示輝度規定手段２２に基準輝度記憶部（図１の符号２２０参照）を設けておき、各視標表示位置毎の基準輝度（言い換えれば、各視標表示位置毎に値が異なる基準輝度）を記憶させておく必要がある。
【００２６】
基準輝度は上述のように視標表示位置に応じて異ならせる必要があるが、このことは偏差についても当てはまる。すなわち、健常眼を持つ被検者に対して実際に視標表示を行うと、ある視標表示位置では「その視標表示位置における基準輝度Ｂ１−３ｄＢ」という輝度で認識できても、別の視標表示位置では「その視標表示位置における基準輝度Ｂ２−３ｄＢ」という輝度では認識できなくなる場合がある。つまり、視標表示位置に応じて基準輝度を「Ｂ１→Ｂ２」のように変更するだけでは十分でなく、上述した偏差の値も変更する必要がある。ここで、偏差を視標表示位置毎に変更する場合に重要となる値がｐ値（確率変数）である。このｐ値は健常眼の視野検査データベースから統計的に算出される値であって、例えば、「ｐ値が５％」とは、「その視標呈示位置の視標輝度を視認できる被検者が９５％（つまり、１００−ｐ値）だけ存在する」ということを意味する。「ｐ値が５％」となるための偏差の値は、ある視標表示位置では３ｄＢとなり、別の視標表示位置では４ｄＢとなるかも知れないが、視標を視認できれば、必ず９５％の中にその被検者が入っているということを意味する。そこで、本発明では、このｐ値によって各視標表示位置の偏差を指定するようにした。さらに、図３に示すように、同じ視標表示位置において偏差を変更していく必要があるが、例えば、
「１回目の視標表示のｐ値を５％」
「２回目の視標表示のｐ値を２％」
「３回目の視標表示のｐ値を１％」
というように規定すると良い。これにより、各視標表示位置毎の、第１偏差、第２偏差、……が全て規定されることとなる。なお、ｐ値をどの値にするかは、被検者の状況等に応じて検査者が自由に設定できるようにすると良い。
【００２７】
図６は、図５と同様、視角と感度との関係を示す特性曲線の一例を示す図である。図中の符号Ｃ１１，Ｃ１２，Ｃ１３，Ｃ１４，Ｃ１５は各視標表示位置における第１偏差を示し、図中の符号Ｃ２１，Ｃ２２，Ｃ２３，Ｃ２４，Ｃ２５は各視標表示位置における第２偏差を示す。本発明の場合、同一視標表示位置においては、
【数２】
2007195787.tif 000004
という関係になって、１回目の視標表示輝度よりも２回目の方が明るくなるように設定する必要がある。また、
【数３】
2007195787.tif 000005
のように、視野周辺部ほど視標表示輝度が高くなるように設定しておく必要がある。そこで、上述した表示輝度規定手段２２に偏差記憶部２２１を設けておき、該記憶部２２１には、少なくとも、１回目の表示輝度Ａ１を算出するための第１偏差Ｃ１、及び２回目の表示輝度Ａ２を算出するための第２偏差Ｃ２を、各視標表示位置毎に記憶させておく必要がある。
【００２８】
以上のような制御を行うため、上述した表示輝度規定手段２２に輝度制御部（図１の符号２２２参照）を設けておき、前記基準輝度記憶部２２０からの基準輝度データ、及び前記偏差記憶部２２１からの偏差データに基づき、視標表示輝度を各表示位置において段階的に変化させるようにしておくと良い。その場合、前記基準輝度記憶部２２０及び前記偏差記憶部２２１からのデータ読み出しはデータ読み出し部（図１の符号２２３参照）により行うと良い。
【００２９】
一方、上述した正常感度曲線や基準輝度や偏差は、視標Ｄの表示位置だけでなく、被検者の年齢の影響も受ける。そこで、前記基準輝度記憶部２２０や前記偏差記憶部２２１に記憶させておくデータは、視標Ｄの表示位置だけでなく被検者の年齢に応じたもの（つまり、各視標表示位置毎、及び各被検者年齢毎の基準輝度や偏差）とすると良い。その場合には、少なくとも被検者の年齢を入力できる被検者データ入力手段２２４を設けておくと共に、前記データ読み出し部２２３は、視標Ｄが表示される位置のデータ、及び前記被検者データ入力手段２２４からの年齢データに基づき前記基準輝度記憶部２２０や前記偏差記憶部２２１から適切な基準輝度及び偏差を読み出して前記輝度制御部２２２に送信するようにしておくと良い。
【００３０】
ところで、上述した輝度制御部２２２は、図３のような輝度制御を行う場合には、被検者からの応答があるまでは輝度を段階的に上げて行く必要があるので、視標Ｄの呈示開始或いは視標Ｄの輝度変更に伴いカウントを開始するタイマー部２２５を設けておき、前記輝度制御部２２２は、前記タイマー部２２５のカウントに基づき視標Ｄの表示輝度を変更するようにすると良い。
【００３１】
一方、前記操作手段３からの信号と、前記表示輝度規定手段２２からの表示輝度データと、前記表示位置規定手段２１からの表示位置データとに基づき、被検者の視野を判定する視野判定手段４を設けておくと良い。
【００３２】
本発明によれば、視標表示位置や被検者年齢に応じた視標輝度で視野測定を行うことができるので、測定結果がより正確なものとなる。
【００３３】
ところで、図１に示す視標呈示ユニット２は、視標Ｄを投影するための投影光学系２３と、該投影光学系２３により視標Ｄが投影される投影部材２４とを備えているが、被検者の視野中に視標を呈示するものであればどのような構造でも良い。例えば、複数のＬＥＤを配置しておいて、それを選択的に点灯させるようにしたものでも良い。また、図１に示す投影部材２４は半球ドーム状の形状をしているが、もちろんこれに限られるものではなく、半球面以外の曲面を有する形状としても、或いは、平面を有する形状としても良い。
【００３４】
上述のように、視標呈示ユニット２に投影光学系２３や投影部材２４を設ける場合には、前記表示輝度規定手段２２には、
・  回転自在に支持されると共に、減衰度の異なる複数のフィルターを有するターレット２２６，２２７と、
・  該ターレット２２６，２２７の位置を変更するための駆動モータ２２８と、
を設けておくと良い。
【００３５】
上述のように、視標呈示ユニット２に投影光学系２３や投影部材２４を設ける場合には、前記表示位置規定手段２１は、前記投影光学系２３の構成要素（例えば、符号２４１，２４２に示すプロジェクター・ミラー）の位置を変更する駆動手段（不図示）等により構成すると良い。また、上述のように、複数のＬＥＤにより視標呈示ユニットを構成した場合には、いずれのＬＥＤを点灯させるかを表示位置変更部により制御するようにすると良い。なお、投影光学系及びＬＥＤのいずれを用いた場合においても、表示位置の変更のための指示は、
・  検査する者が検査中にディスプレイを見ながらタッチペンやマウスやキーボード等を用いて手動で行うようにしても、
・  予め作成されていたプログラムで自動的に行うようにしても、
どちらでも良い。
【００３６】
次に、本発明に係る視野測定方法について説明する。
【００３７】
いま、被検者がある特定の固視点を固視している状態で、本発明に係る視野計１を起動すると、前記視標呈示ユニット２は被検者の視野中の所定位置に所定の輝度で視標Ｄを呈示する。この視標Ｄの表示輝度は、基準輝度記憶部２２０からの基準輝度データ、及び偏差記憶部２２１からの偏差データに基づき決定されたものである。視標Ｄは、様々な位置に様々な輝度で順次呈示されるが、操作手段３が操作されると、前記表示輝度規定手段２２からの表示輝度データ、及び前記表示位置規定手段２１からの表示位置データに基づき、前記視野判定手段４が被検者の視野を判定する。
【実施例１】
【００３８】
本実施例では、図７に示すような視野計測システムを構築した。具体的には、視標Ｄの表示を行う視標表示部１００と、該視標表示部１００をコントロールするためのパソコン１０１と、プリンタ１０２と、モニター１０３と、視標Ｄが見えた場合に被検者により操作される応答スイッチ（操作手段）３と、により構成した。
【００３９】
パソコン１０１には、所定のソフトウェアをインストールしておき、上述した基準輝度記憶部２２０や偏差記憶部２２１やデータ読み出し部２２３や輝度制御部２２２やタイマー部２２５や視野判定部４等を設けておいた。そして、基準輝度や偏差の各データも記憶させておいた。また、上述したｐ値や、被検者の年齢等の情報はこのパソコンから入力するようにした。
【００４０】
一方の視標表示部１００には、視標Ｄを投影するための投影光学系２３や、視標Ｄが投影される半球状の視野ドーム（投影部材）２４を配置し、被検者の視野中に視標Ｄを表示できるようにした。
【００４１】
投影光学系２３は、図１に示すように、光源である視標投影ランプ（ハロゲンランプ）２３１と、該ランプ２３１の後側に配置された反射鏡２３０と、該ランプ２３１の前側に配置されて光を集光する集光レンズ２３２と、視標Ｄの形状や大きさを規定する視標板２３３（詳細は後述する）と、視標Ｄの色を規定するための色フィルター・ターレット２３４（詳細は後述する）と、リレーレンズ２３５と、フォーカスレンズ２３６と、シャッター２３７と、ミラー２３８と、リレーレンズ２３９と、ミラー２４０と、プロジェクター・ミラー２４１，２４２と、プロジェクターレンズ２４３とによって構成した。なお、符号２４４は背景照明ランプを示す。
【００４２】
このうち、視標板２３３は、種々のサイズの孔部を有すると共に、回転及び光軸方向に移動できるように構成し、視野ドーム２４に投影される視標Ｄの大きさを適宜変更できるようにした。
【００４３】
また、色フィルター・ターレット２３４は、杆体向けのフィルターＡ、錐体向けのフィルターＢを有していて、不図示のサーボ・モータにより回転されるように構成した。
【００４４】
ところで、色フィルター・ターレット２３４とリレーレンズ２３５との間の光路上には、回転自在なＮＤフィルター・ターレット２２６，２２７を２枚配置した。それぞれのＮＤフィルター・ターレット２２６，２２７は、減衰度の異なる複数のフィルターを有しているので、各ＮＤフィルター・ターレット２２６，２２７の回転位置を調整して、光を透過させるフィルターの組み合わせを変えることにより、１ｄＢ単位で視標輝度を調整できる。なお、本実施例においては、ＮＤフィルター・ターレット２２６，２２７にはサーボ・モータ２２８等の駆動機構を連結し、該駆動機構の駆動制御を輝度制御部２３２で行うことにより輝度調整できるようにした。
【００４５】
また、上述したプロジェクター・ミラー２４１，２４２には不図示のサーボ・モータを連結し、サーボ・モータを駆動制御して各プロジェクター・ミラー２４１，２４２の角度を変更し、それにより、視標Ｄの表示位置を変更できるようにした。つまり、本実施例においては、これらのプロジェクター・ミラー２４１，２４２やサーボ・モータ等により表示位置規定手段２１が構成されたこととなる。
【００４６】
さらに、シャッター２３７は、不図示のソレノイドにより開閉できるようにし、開状態のときは視標Ｄが表示され、閉状態のときは視標Ｄは表示されないようにした。
【００４７】
なお、該視野ドーム２４に対峙する位置には、被検者の顎を載せるための顎台(不図示)を配置した。
【００４８】
ところで、この視野計１には応答スイッチ（操作手段）３を設けておき、視標Ｄを視認した被検者が操作できるようにした。
【００４９】
図８は、検査結果の一例を示す図であり、◎は、最初の表示輝度Ａ１で視標視認できた点を示し、○は、次の表示輝度Ａ２で視標視認できた点を示し、△は、３番目の表示輝度Ａ３で視標視認できた点を示し、×は視標視認出来なかった点を示す。
【図面の簡単な説明】
【００５０】
【図１】図１は、本発明に係る視野計の構成の一例を示す模式図である。
【図２】図２(a)は、ある視標表示位置における正常感度分布曲線の形状の一例を示す模式図であり、図２(b)は、他の視標表示位置における正常感度分布曲線の形状の一例を示す模式図である。
【図３】図３は、ある視標表示位置における視標輝度の変化を説明するための模式図である。
【図４】図４は、ある視標表示位置における視標輝度の変化と正常感度分布曲線との関係を示す模式図である。
【図５】図５は、視角と感度との関係を示す特性曲線の一例を示す図である。
【図６】図６は、該特性曲線に偏差を示した図である。
【図７】図７は、本発明の一実施例に係る視野計測システムの構成を示す模式図である。
【図８】図８は、検査結果の一例を示す図である。
【図９】図９は、従来の視野計の構造の一例を示す模式図である。
【図１０】図１０は、ある視標表示位置における正常感度分布曲線の形状の一例を示す模式図である。
【符号の説明】
【００５１】
１            視野計
２            視標呈示ユニット
３            操作手段（応答スイッチ）
４            視野判定手段
２１          表示位置規定手段
２２          表示輝度規定手段
２２０        基準輝度記憶部
２２１        偏差記憶部
２２２        輝度制御部
２２４        被検者データ入力手段
２２３        データ読み出し部
２２５        タイマー部
Ｄ            視標
【図１】
2007195787.tif 000006
【図２】
2007195787.tif 000007
【図３】
2007195787.tif 000008
【図４】
2007195787.tif 000009
【図５】
2007195787.tif 000010
【図６】
2007195787.tif 000011
【図７】
2007195787.tif 000012
【図８】
2007195787.tif 000013
【図９】
2007195787.tif 000014
【図１０】
2007195787.tif 000015